(57)【要約】流体送出用のロータリベーンポンプであって、回転送出装置（１）を収容したハウジングを有し、タンクなどから流体を受け取る供給チャネル（１３）を備えている。供給チャネルは、ポンプの吸い込み領域に連通した少なくとも２つの吸入室に１つまたは複数の吸入チャネル（２０）を経て連通したジェット室（１５）と連通している。インジェクタ装置（１４）が、加圧流体をジェット室内へ噴射して、供給チャネル（１３）から流入した流体を同伴して前進させることができ、また、２つの吸入室にほぼ同一の体積流量が流入できるように流体の流れを調節する手段が設けられている。
2004505209.tif 000002
【特許請求の範囲】
【請求項１】
流体送出用のポンプであって、
流体を吸い込み領域から送出領域へ移送する回転送出装置を収容した内部室を有するハウジングと、
前記ハウジング内に形成されて、ポンプの前記吸い込み領域と連通した少なくとも２つの吸入室に少なくとも１つの吸入チャネルを経て連通したジェット室と連通した供給チャネルと、
加圧流体をジェットノズルによって前記少なくとも１つのジェット室内へ噴射して、前記供給チャネルから前記ジェット室内へ流入した流体を同伴して、前記１つの吸入チャネルに沿って前記少なくとも２つの吸入室まで前進させることができるインジェクタ装置とを備えており、
前記１つのジェット室は、前記インジェクタ装置によって噴射された流体が衝突する衝突領域を有しており、また、前記衝突領域および／または前記１つの吸入チャネルに、前記２つの吸入室にほぼ同一の体積流量が流入できるように流体の流れを調節する手段を設けたポンプ。
【請求項２】
前記衝突領域は、横壁によって形成されており、前記ジェットノズルおよび前記横壁は、噴射流体が壁に斜め方向に衝突することによって前記１つの吸入チャネルに沿って前記２つの吸入室の方へ前進できるようにする相互向きに配置されている請求項１記載のポンプ。
【請求項３】
前記横壁は、前記噴射流体が衝突する前記衝突領域にスキージャンプ状のガイド面を有し、前記ガイド面は、流体を前記１つの吸入チャネルに沿って前記２つの吸入室の方へ前進させるような向きに設けられている請求項２記載のポンプ。
【請求項４】
前記ジェット室は、それぞれ２つの吸入チャネルを経て前記２つの吸入室に接続されている請求項２記載のポンプ。
【請求項５】
前記噴射流体が衝突する前記衝突領域に続いて、流体を統合するように狭くなる断面を有する領域を設けた請求項４記載のポンプ。
【請求項６】
前記狭くなる断面を有する領域に続いて、前記２つの吸入チャネルに開く湾曲領域を設けた請求項５記載のポンプ。
【請求項７】
前記流体の流れを調節する手段は、前記吸入室のすぐ上流側の位置に前記２つの吸入チャネルの各々の流れを調節する断面積変更部分および／またはガイド面を有する請求項４記載のポンプ。
【請求項８】
前記ジェット室は、前記２つの吸入室と直列に連通した１つの吸入チャネルに連通している請求項２記載のポンプ。
【請求項９】
前記噴射流体が衝突する前記衝突領域に続いて、流体を統合するように狭くなる断面を有する領域を設けた請求項８記載のポンプ。
【請求項１０】
前記吸入チャネルの断面積は、前記２つの直列配置された吸入室の第１のものに向かって減少する請求項８記載のポンプ。
【請求項１１】
前記吸入チャネルは、前記吸入室に向かう流体の流れを調節する所定の断面形状を有するガイド面を備えている請求項１０記載のポンプ。
【請求項１２】
前記ガイド面は、スキージャンプ状表面の形をしている請求項１１記載のポンプ。
【請求項１３】
直列配置された第１および第２吸入室間の吸入チャネルの断面積は、第１吸入室の上流側の断面積より小さい請求項８記載のポンプ。
【請求項１４】
前記吸入チャネルの断面積は、直列配置された第１および第２吸入室間で減少する請求項１０記載のポンプ。
【請求項１５】
前記２つの吸入室間、または前記直列配置された第２吸入室の下流側の吸入チャネル領域は、前記ジェット室か、第１吸入室の上流側の吸入チャネル領域に接続されている請求項８記載のポンプ。
【請求項１６】
流体の流れを調節する手段は、前記ジェット室および／または前記吸入チャネルの内壁上の表面コーティングを有する請求項１記載のポンプ。
【請求項１７】
流体を送出するポンプであって、
内部室および両側部を有するハウジングと、
ハウジングの内部室内に収容されて、流体を吸い込み領域から送出領域へ移送するためのロータリベーン送出装置と、
ハウジングの各側に配置されて、同一側の吸い込み領域と連通しているジェット室と、
それぞれのジェット室と連通した２つのサブチャネルを有して、流体を送り込む供給チャネルと、
２つのジェット室の各々の内部に加圧流体を噴射して、２つのジェット室に供給チャネルの対応のサブチャネルから流入する流体を同伴して吸い込み領域の方へ搬送するインジェクタ装置とを備えており、
ジェット室の各々は、少なくとも部分的に横壁によって画成されており、各ジェット室の壁は、インジェクタ装置からの流体がそれに斜め方向に衝突して、流体を吸い込み領域の方へ前進させるように構成されているポンプ。
【請求項１８】
前記インジェクタ装置は、２つのジェット室間の中央に位置しており、また、ほぼ対向方向に向けられた２つのノズルを有して、前記ノズルが２つのジェット室の対応のものの方に向けられるようにした請求項１７記載のポンプ。
【請求項１９】
前記２つのノズルは、同軸的に整合している請求項１８記載のポンプ。
【請求項２０】
さらに、前記ハウジングの一方側部に重なるカバーと、前記ハウジングの他方側部に重なる軸受けフランジとを備えており、前記ジェット室の１つが少なくとも部分的にカバーと一体成形されており、他方のジェット室が少なくとも部分的に軸受けフランジと一体成形されている請求項１７記載のポンプ。
【請求項２１】
各ジェット室は、前記ハウジングの同一側の少なくとも２つの吸入室と連通した少なくとも１つの吸入チャネルを経て吸い込み領域に連通している請求項１７記載のポンプ。
【請求項２２】
各ジェット室の横壁は、前記インジェクタ装置によって噴射された流体が衝突する衝突領域を有しており、また、前記衝突領域および／または前記１つの吸入チャネルに、前記２つの吸入室にほぼ同一の体積流量が流入できるように流体の流れを調節する手段を設けた請求項２１記載のポンプ。
【発明の詳細な説明】
【０００１】
【発明の属する技術分野】
本発明は、ハウジング内に収容された送出装置と、ハウジング内に形成されて、送出装置の吸入流域内に延在し、上流側がジェット室になっている流体用供給チャネルとを備え、ジェットノズルでジェット室内へ吐出される流体を送出するために使用されるインジェクタ装置を有する流体送出用のロータリベーンポンプに関する。そうする際に、ジェットノズルは、供給チャネルからジェット室に流入する流体内へ高圧の流体を噴射することによって、それを同伴または加速し、ジェット室は、吸入チャネルを経て送出装置の少なくとも２つの吸入室に油圧接続されている。
【０００２】
【従来の技術】
上記形式のポンプ、たとえば、ベーンセルポンプは実際上、たとえば、米国特許第５，４９６，１５２号および第４，９７１，５２５号、およびドイツ特許第ＤＥ　４１　２２　４３３　Ｃ２号から周知である。
【０００３】
上記形式のポンプは、たとえば、ステアリングブースタに使用され、それらは自動車のステアリングホィールに加えるべきステアリング力を補助するために特殊オイルを送出する。好ましくは、ポンプはベーンセルポンプであり、それはポンプの外のタンク、たとえば、外部タンクからオイルを取り入れる。そのようなポンプは通常、オイルを高圧領域からポンプの吸い込み領域に送出できるようにする流量制御弁を備えている。一定のポンプ速度において常時調節可能な流量で作動して、流量制御弁が吐出穴を開き、それを通って高圧のオイルが流出することができる。オイルは、送出装置の吸い込み領域に流入する。
【０００４】
米国特許第５，４９６，１５２号は、上記形式のポンプを開示しており、これは、できる限りキャビテーションのない作動を実現するために、タンクオイルを送出するための非常に特殊な送出システムを備えている。具体的に言うと、水流ポンプと同様に作動するインジェクタ装置を備えている。インジェクタ装置は、高圧領域から、好ましくは流量制御弁を経て、インジェクタ装置に供給されて高速で流れている流体によってバイアスをかけられている。インジェクタ装置はこの高速流体を、送出装置の上流側のジェット室領域内の供給チャネルから出る流体内へ噴射する。その結果、タンクから出る流体が同伴または加速される。そこから、それはさらなるチャネルシステムを経て送出装置の吸い込み領域に入る。
【０００５】
しかし、’１５２号特許に開示された、インジェクタ装置の使用に関する技術では、開示のインジェクタ装置がハウジングの片側だけのジェットノズルで作動して、タンクから出る流体をそれからハウジングの両側へ、すなわち、それぞれの吸い込み領域へ送り込むことによって、流体が、送出装置または回転群の両側に対応した吸入室に通じるハウジングの両側で十分に得られるようにしなければならないことから、問題がある。
【０００６】
従来技術に伴う主たる問題は、好ましくは上流側を必要に応じて高圧にした弁ピストン上をジェットノズル内へ高速で流れ込む弁ジェットが、基本的に斜めに進み、したがって、対称的な構造のチャネルが不適当であることに見られるであろう。
【０００７】
両側に配置された吸入室へのジェットの供給が通常異なっているため、流体内に異なった圧力状態が発生し、それによって、両側の吸入室のローディングが異なる。特に、ポンプが高流量である場合、これによってキャビテーションが発生するか、キャビテーションに起因する破損が生じるである。さらに、両側の吸い込み領域の均一充填が疑わしくなる。
【０００８】
いずれにしても、従来技術は、吸入室の均一充填を確信できない。まったく逆に、吸入室の上流側に見られる流体の圧力状態および流速は異なった充填をもたらし、これによって上記問題、すなわち、ポンプ内のキャビテーションと共に騒音も発生する。
【０００９】
【発明が解決しようとする課題】
したがって、本発明の目的は、上記形式のポンプを、簡単な構造手段でポンプ内のキャビテーションおよび騒音を実質的に排除するように改良、さらには発展させることである。
【００１０】
【課題を解決するための手段】
本発明の上記および他の目的および利点は、冒頭に記載した形式で、ジェット室の流入領域内および／または吸入チャネル内に、流体の流れを調節する手段を設けて、少なくともほぼ同一の体積流量が２つの吸入室に流入できるようにしたポンプの提供によって達成される。
【００１１】
本発明によれば、第１段階で、従来技術のポンプに発生するキャビテーションまたは騒音が、送出装置の吸入室の充填の差異によるものであることを認識した。この発見は、特にジェット方向に関する詳しい技術的分析を必要とした。単独で見た時、そのような分析は発明的である。
【００１２】
次の段階で、少なくともほぼ同一の体積流量が２つの吸入室に流入することを保証することによって、従来技術の問題を解決できることを発見した。最後に、たとえば、ジェットノズルか、ジェットノズルを通って噴射すべき流体の圧力を変更する必要はないが、ジェット室に流入する流体を調節する手段をジェット室の流入領域内および／または吸入チャネル内に設けて、吸入室全体に分散した時、吸入室に少なくともほぼ同一の体積流量が必ず流入するようにできることがわかった。
【００１３】
最後に、本発明の１つの実施形態によれば、吸入室までの流路は、全体積流量が２つの同一の部分流量に分割されて吸入室に送られるように構成されている。体積流量をそのように同一または少なくともほぼ同一に分割するのは、流路内に設けられて流体の流れを調節する手段である。したがって、この手段は、流路の、ハウジングの一体部材にすることができる。ここで、ジェットノズルを通して噴射される流体の圧力は、縁部または縁部領域内の外力から生じ、流れの経路の結果として常に変化することに注意されたい。
【００１４】
簡単な実施形態の範囲において、本発明に従ったポンプは、単一のジェット室内へ一方向のみに吐出するような構造を有することができる。この場合、この単一のジェット室は、吸入チャネルを経て、送出装置の２つ以上の吸入室に油圧接続している。しかし、供給チャネルが送出装置の両側に端部を有し、送出装置の上流側のジェット室内にそれぞれ１つのサブチャネルを有し、インジェクタ装置が両側で、それぞれ１つのジェットノズルによって２つのジェット室の各々の内部に吐出することも同様に可能である。両ジェット室は、それぞれ吸入チャネルまたは対応のサブチャネルを経て、送出装置の少なくとも２つの吸入室に油圧接続している。その結果、両側に、流体の流量を同一に調節する手段が設けられている。この手段によって、少なくともほぼ同一の体積流量を両側の吸入室に確実に流入させることができる。
【００１５】
本発明のさらなる態様として、各ジェット室に送られる流体ジェットが、ジェットノズルに対向するジェット室壁に対して斜めの流れ方向で送られ、それが対応の斜めの角度でそれに衝突することがわかった。ジェットの角度はさらに、吸入室の均一充填を行うために運動エネルギを最適に使用できるように調節される。これに関連して言うと、それは、特に乱流およびジェット浸食の回避を意図している。
【００１６】
インジェクタまたはジェットノズルから出た直後の流体の最適の流れをさらに助けるために、壁の衝突領域に、流体のジェット角度にほぼ適合または調整したスキージャンプ状のガイド装置を形成することが特に好都合であろう。有害な乱流を回避するために、スキージャンプ形ガイド面を使用して、ジェットを適当に受け取って、運動エネルギの損失を最小限に抑えて意図した通りに送ることができる。
【００１７】
さらに好都合に、ジェット室内の衝突領域、すなわちスキージャンプ形ガイド面に続いて、流れを統合するために使用される流路の断面先細部分が設けられており、この断面先細部分と、それによる流れの統合の結果として、合成ノズル効果のために流れの加速が得られる。この断面先細部分に続いて、偏向部分を、また最終的に２つの吸入チャネルへの分割部分を設けることができる。この場合、偏向部分によってもたらされる方向変化が、次の２つの吸入チャネルへの流れの分割に影響を与える。分割領域内にもガイド装置を設けることができ、これは、たとえば、流路または吸入チャネルのそれぞれの壁に組み込むことができる。いずれにしても、流れ全体の偏向または分割は、２つの吸入チャネル内にほぼ同一の体積流量が生じ、それが２つの吸入チャネルを経て吸入室の入口に達するように行われなければならない。
【００１８】
ジェット室は、２つの個別の吸入チャネルを経て、それぞれ少なくとも１つの吸入室に油圧接続されることができる。言い換えると、ジェット室は、２つの個別の吸入チャネルに分割され、その吸入チャネルがジェット室を吸入室に油圧接続する。吸入チャネルの長さに関係なく、また、それぞれの吸入チャネルのコースに関係なく、流れを調節する手段は、ほぼ同一の体積流量がそれぞれの吸入チャネルを経て２つの吸入室に送られるように構成されている。これを行うのは、流体の流れを調節する手段である。この手段も、たとえば、ジェット室内に設けられたスキージャンプ形ガイド面や、特に目的に合わせた壁の形状の適合または「ノーズ」などを含む。対応の装置を吸入チャネル内に設けることも可能である。
【００１９】
前述したように、ジェット室から２つの吸入チャネルに流入する流れを流路の形状によって調節することが可能である。この場合、２つの吸入チャネルに流入する流れを少なくともわずかに偏向させる。この偏向は、吸入チャネルに送り込まれる体積流量を調節するのに役立ち、したがって、これまでに、２つの吸入チャネルに流入する流れが、体積流量を均一にするようにしてすでに分割されている。
【００２０】
吸入チャネルの形状に関する他の基本的条件によれば、それを非対称的で異なった長さにすることができる。
【００２１】
吸入チャネル内および／または吸入室のすぐ上流において、流れを調節するさらなる手段、特に断面積変更部分および／またはガイド装置を設けて、そこで吸入室に流入する体積流量を最終調節することができる。この点で、先に分割されていた体積流量が微細調整を行うことができる。吸入チャネルの断面積減少部分、さらなる偏向部分、または迷路のような構造でさえも、流れを、さらに具体的に言うと、流速、そこに見られる圧力、従った体積流量を調節する十分な手段である。
【００２２】
ジェット室から吸入室までの流路の変更形構造の範囲において、ジェット室は、少なくとも２つの連続配置された吸入室に通じる単一の吸入チャネルに油圧接続することができる。これまでと同様に、第１段階で、噴射された流体が衝突するジェット室内の衝突領域、すなわちスキージャンプ形ガイド面の下流側に、流れを統合するために使用される流路断面先細部分を配置することができる。これに関連して言うと、流れの断面積が、一様に、または湾曲状に、または段差状でもよいが、吸入室に向かって減少することができる。流れの統合によって、第１吸入室まで流体の加速が行われる。
【００２３】
さらに、吸入チャネル内、特に吸入室のすぐ上流に、流れを調節するさらなる手段、特にガイド装置を設けることができる。吸入室のすぐ上流に、ジェット室内の衝突領域の場合と同様に、乱流を回避しながら流れを吸入室内へ送るスキージャンプ形ガイド面を設けることが可能であろう。吸入チャネル内および吸入室のすぐ上流の両方のいずれの点でも、ガイド装置は、好ましくはハウジングと一体成形して形成される。
【００２４】
さらに好ましくは、第１および第２吸入室間の流れの断面積は、第１吸入室の上流側の流れの断面積と少なくとも同一である。これに関連して言うと、２つの吸入室に流入する体積流量を少なくともほぼ均一に分割して、吸入室が均一にローディングされるようにしなければならない。第２吸入室の下流側で、偏向を生じる反発壁を設けて、偏向を生じ、それによって第２吸入室に流入する体積流量を反復調節することが可能であろう。いずれにしても、吸入チャネルは第２吸入室のすぐ下流側で終了し、そこに偏向壁を設けることができる。
【００２５】
さらなる実施形態の範囲において、吸入チャネルは、２つの吸入室間の領域内か、流れ方向に見た時に最後の吸入室の下流側で、直接的またはバイパスを経て、ジェット室に、または第１吸入室の上流の吸入チャネル領域に油圧接続することができる。そのような油圧接続によって、圧力状態を、また、それと共に、それぞれの吸入室の上流の体積流量も調節することができ、したがって、この場合も体積流量の調整も可能になる。
【００２６】
吸入チャネルのコースおよび異なったガイド装置の配置以外にも、もっと広範な方法で、すなわち、ジェット室および／または吸入チャネルの内壁を変更することによって、流体の流れを、特に吸入室に送り込まれる体積流量を調節することができる。この場合、表面は、流れを調節する構造および／またはコーティングを有することができる。具体的に言うと、必要に応じて、内壁の表面を処理することができる。これに関連して言うと、表面に凹凸を付けると、流れ抵抗が増加し、表面の平滑化または平滑なコーティングによって流れ抵抗が減少し、したがって、流れが加速する。
【００２７】
最後に、ハウジングの前端部の一方側をハウジングカバーによって、また、必要ならば、他方側を軸受けフランジによって閉鎖できることに注意されたい。この場合、送出装置の両側に形成されるジェット室を、少なくともほぼハウジングカバーに、さらに、必要ならば、軸受けフランジに機械加工することが可能である。さらに、実際のハウジングの両側に形成される流路は、ハウジングまたはハウジングカバーおよび／または軸受けフランジによって予め決定された幾何学的形状および要件に応じて、同一または異なるように形成することが可能である。
【００２８】
本発明の教示を好都合に改良してさらに発展させるさまざまな可能性が存在する。このため、図面を参照しながら、本発明の２つの実施形態を以下にさらに詳細に説明する。図面を参照した本発明の好適な実施形態の説明に関連して、教示の全般的に好適な改良およびさらなる発展もさらに詳細に説明する。
【００２９】
【発明の実施の形態】
図１は、上記形式のポンプの簡略化した側部断面図である。具体的に言うと、ポンプは、詳細には説明しない回転群または送出装置１を備えたベーンセルポンプである。そのような回転群１の特別な形状に関しては、たとえば、ドイツ特許第ＤＥ４１　３８　５１６　Ａ１号および米国特許第５，４９６，１５２号を参照することができ、これらの開示内容は参照として本明細書に援用される。
【００３０】
図示のポンプは、主要部材として、ハウジング２と、その内部に収容された上記回転群１である送出装置とを有する。前端部において、ハウジング２を閉鎖するハウジングカバー３が一方側に設けられており、軸受けフランジ４が他方側でハウジング２に連結されている。ハウジングカバー３および軸受けフランジ４を含む実際のハウジング２を、非常に広い意味でハウジングと呼ぶこともできる。
【００３１】
ハウジング２および一方側のハウジングカバー３間と、ハウジング２および他方側の軸受けフランジ４間とに外部作動シール５、６が配置されており、ハウジングカバー３に対して作動するシール５は、ハウジング２の前面７に設けられた溝８に挿入されている。ハウジング２の他方側では、シール６が軸受けフランジ４に組み込まれているか、軸受けフランジ４に機械加工した溝９に挿入されている。溝９をハウジング２の前面１０に設けることもできる。
【００３２】
単独で見た時、ポンプの圧力領域１１および吸入領域１２間に、流体用の漏れ経路、すなわち、圧力側に発生して吸入側１２へ送達されるべき漏れオイル用の漏れ経路を設けることは、当該技術分野では周知である。
【００３３】
図１および図２に最もわかりやすく示されているように、流体用の供給チャネル１３が、吸入領域１２内へ延びている。さらに、流体を送出するために、水流ポンプと同様に機能するインジェクタ装置１４が設けられている。このインジェクタ装置１４は、流量制御ピストンの上流側で弁ピストンの制御縁部上に高圧を受けて蓄積した流体を、送出装置１の上流のジェット室１５内へ、また、そこで供給チャネル１３から出る流体内へ高速で噴射する。それによって、それは流体を加速または同伴する。
【００３４】
送出装置１の両側において、供給チャネル１３の終端がサブチャネル１６になって、それぞれ個別のジェット室１５に入っている。インジェクタ装置は２側部に放出するので、インジェクタ装置１４のジェットノズル１７が、２つのジェット室１５の各々の内部に向けられている。必要ならば、ジェットを妨害しないようにするために、ジェットノズル１７を短くしたり、省いてもよい。
【００３５】
図１および図２に示されているように、インジェクタ装置１４は、送出装置１の上方の中央に配置されている。この配置では、ジェットノズル１７から高速で噴射された流体が、ほぼ流れ方向に加速されている流体に衝突することによって、タンクから送られる流体の加速を助けるようにジェットノズル１７が配列されている。システムからの流体は、供給チャネル１３を経て２つのジェットノズル１７に到達し、ポンプからの流体は、弁穴１４および吐出穴１４ａを経てそれらの到達する。
【００３６】
さらに図１からわかるように、送出装置１の両側に形成されたジェット室１５は、一方側のハウジングカバー３と、他方側の軸受けフランジ４とに大部分が機械加工されている。ジェットノズル１７は、一方側で供給チャネル１３の出口と反対側のハウジングカバー３の壁１８に、他方側で供給チャネル１３の出口と反対側の軸受けフランジ４の壁１９に直交する向きになっている。しかし、乱流を効果的に防止するために、それらは、一方側で供給チャネル１３の出口と反対側のハウジングカバー３の壁１８に、他方側で供給チャネル１３の出口と反対側の軸受けフランジ４の壁１９に斜めの向きにしてもよい。
【００３７】
図３の説明によれば、ジェット室１５の流入領域および吸入チャネル２０の両方に、流体の流れを調節する手段が収容されている。この手段は、２つの吸入室（図示せず）に少なくともほぼ同一の体積流量が流入するようにすることができる。同じことが、図７に示された第２実施形態にも当てはまる。
【００３８】
さらに図２および図３からわかるように、供給チャネル１３の終端は、送出装置１の各側にそれぞれ１つのサブチャネル１６を形成して、送出装置１の上流側のジェット室１５に入り、インジェクタ装置１４は、両側でそれぞれ１つのジェットノズル１７によって２つのジェット室１５の各々に吐出する。
【００３９】
吐出穴１４ａで弁ピストン上に現れた後、ジェット室１５に送り込まれたジェットは、ジェット室１５の、ジェットノズル１７に対向する壁に対して斜めの流れ方向に進む。ジェットが斜めの向きであることが、ジェットを２１で表す矢印によって図３〜図７に記号表示されている。いずれにしても、ジェット室１５に送り込まれたジェット２１が、ジェット室１５の壁１８または１９に斜めに衝突することが重要である。
【００４０】
図３、図４および図７に示されているように、図示の実施形態によれば、スキージャンプ形ガイド装置２２が、ジェット２１の衝突領域に形成されている。この場合、ジェット２１は、ガイド装置２２に衝突してから、乱流を生じることなく、吸入チャネル２０の方向に流れ続ける。
【００４１】
図３に示された実施形態では、ジェット室１５が２つの吸入チャネル２０を経てそれぞれ送出装置１の１つの吸入室（図示せず）に油圧連結されている。図３はさらに、流路の形状によってジェット室１５からの流れが２つの吸入チャネル２０に偏向されることを示している。この流れ偏向は、吸入チャネル２０に送り込まれる体積流量を調節するために使用される。
【００４２】
２つの吸入チャネル２０は、ジェット室１５の両側にほぼ対称的に形成されている。ジェット室１５内の衝突領域に続いて、流路の断面先細部分２４が設けられており、これは流れを統合するために使用される。断面先細部分２４の下流側に、偏向部分２３と、２つの吸入チャネル２０への分割部分２５とが設けられている。この構造では、対向する突起２４ａ、２４ｂを形成することが特に重要である。
【００４３】
図３からさらにわかるように、流れを調節するさらなる手段、すなわち、断面積変更およびガイド装置２２が、吸入チャネル２０内および吸入室のすぐ上流に設けられている。
【００４４】
図４、図５および図６は、図３の主題の断面図である。たとえば、図４には、ジェット室１５内に形成されて、不必要な乱流を生じることなく、ジェット流２１の偏向または誘導を行うために使用されるスキージャンプ形ガイド装置２２が最もわかりやすく示されている。
【００４５】
図５は、吸入室付近の吸入チャネル２０を、壁の一体部分である対応のガイド装置２６と共に示す断面図である。この点で図６は同様であるが、これは吸入チャネル２０のほぼ軸方向断面図である。この図面でも、吸入チャネル２０の壁の、すなわち、その端部のガイド装置２６がわかるであろう。同様に、このガイド装置２６は、吸入室への流入を助ける。
【００４６】
図７に示されているような本発明に従った吸入チャネルの構造のさらなる実施形態は、ジェット室１５の少なくとも一部分を単一の吸入チャネル２０と共に収容しているハウジングカバー３に関する。この実施形態でも同様に、ジェット２１がスキージャンプ形ガイド装置２２に衝突し、これがジェット２１の流れ方向を調節する。
【００４７】
いずれにしても、図７に最もわかりやすく示されているように、ジェット室は、単一の吸入チャネル２０を経て２つの連続配置された吸入室（図示せず）に油圧連結されている。図面は、吸入室に向かう入口２７だけを示している。
【００４８】
ジェット室１５内の衝突領域すなわちスキージャンプ形ガイド装置２２に続いて、流路すなわち吸入チャネル２０の断面先細部分２４が設けられており、これは流れを統合することができる。さらに図７に示されているように、第１吸入室に向かう、すなわちその入口２７までの流れの断面積が漸減し、それによって流れが加速する。吸入チャネル２０内に、すなわち、選択された実施形態では吸入室に通じる入口２７のすぐ上流側に、流れを調節する追加手段が設けられている。この手段は、追加ガイド装置２８である。吸入室のすぐ上流側に、同様に入口２７への流入を助けるスキージャンプ形ガイド装置２８が設けられている。ガイド装置２８は、ハウジングカバー３の一体部品である。
【００４９】
さらに図７に示されているように、第１および第２吸入室間の流れの断面積は、（たとえば、平坦にした構造の溝によって）第１吸入室またはその入口２７の上流の流れの断面積より小さくなっている。さらに、第１吸入室および第２吸入室間、すなわち、２つに入口２７間で流れの断面積が少なくともわずかに減少する。
【００５０】
吸入チャネル２０の端部に、さらに具体的に言うと第２吸入室の下流側またはその入口２７の下流側に反発壁２９が形成されており、これが偏向を発生し、やはり入口２７から第２室への流入を助ける。
【００５１】
上記実施形態は、本発明を制限するものではない。むしろ、本開示の範囲内においてさまざまな変化および変更が可能であり、特に目的を達成するために当該技術分野の専門家が利用することができる変更例、部材および組み合わせ、および／または特徴が、たとえば、包括的明細および実施形態と請求項との両方において関連して記載され、図面に含まれる特徴または部材または処理段階の組み合わせまたは変更によって可能であり、また、組み合わせ特徴によって、新しい主題、または新しい処理段階または処理段階順序、さらに、製造、試験および加工方法に関する範囲をもたらす。
【図面の簡単な説明】
【図１】
上記形式のポンプの実施形態の概略的側部断面図である。
【図２】
図１の主題の、ハウジングカバー、軸受けフランジおよび送出装置を省いた概略的拡大側部断面図である。
【図３】
２つの吸入チャネルを備えた軸受けフランジの概略的内面図である。
【図４】
図３の主題のＡ−Ａ線に沿った断面図である。
【図５】
図３の主題のＢ−Ｂ線に沿った部分断面図である。
【図６】
図３の主題のＣ−Ｃ弓状線に沿った部分断面図である。
【図７】
単一吸入チャネルを収容した壁を有するハウジングカバーの概略的内面図である。
【国際公開パンフレット】
2004505209.tif 000003
2004505209.tif 000004
2004505209.tif 000005
2004505209.tif 000006
2004505209.tif 000007
2004505209.tif 000008
2004505209.tif 000009
2004505209.tif 000010
2004505209.tif 000011
2004505209.tif 000012
2004505209.tif 000013
2004505209.tif 000014
2004505209.tif 000015
2004505209.tif 000016
2004505209.tif 000017
2004505209.tif 000018
2004505209.tif 000019
2004505209.tif 000020
2004505209.tif 000021
2004505209.tif 000022
2004505209.tif 000023
2004505209.tif 000024
2004505209.tif 000025
2004505209.tif 000026
2004505209.tif 000027
【国際公開パンフレット（コレクトバージョン）】
2004505209.tif 000028
2004505209.tif 000029
【国際調査報告】
2004505209.tif 000030
2004505209.tif 000031
2004505209.tif 000032
2004505209.tif 000033
2004505209.tif 000034
2004505209.tif 000035